(57)【要約】【課題】  吸水性と吸収量に優れ、自然界への廃棄で環境に悪影響を与えない程度に分解が進み、また焼却処理時には有毒ガスであるダイオキシンの発生を軽減できる環境面で優れたテーブルクロス、ランチョン・マット、エプロン並びに膝掛けといったものに使用し得る、多層シートを提供すること。【解決手段】  生分解性材料を含有する上層と下層との間に吸水性材料層が配置されてなる多層シート。  好適な実施態様では、前記生分解性材料を含有する上層は、液体透過性であり、さらに好適な実施態様では、前記生分解性材料を含有する下層は、液体非透過性である。【選択図】  図１
2005066955.tif 000002
【特許請求の範囲】
【請求項１】
生分解性材料を含有する上層と下層との間に、吸水性材料層が配置されてなる多層シート。
【請求項２】
前記生分解性材料を含有する上層が、液体透過性である、請求項１に記載の多層シート。
【請求項３】
前記生分解性材料を含有する下層が、液体非透過性である、請求項１若しくは２のいずれかに記載の多層シート。
【請求項４】
前記生分解性材料が、微生物産生系生分解性樹脂、天然高分子系生分解性樹脂及び化学合成系生分解性樹脂からなる群から選択される少なくとも１種である、請求項１〜３のいずれかに記載の多層シート。
【請求項５】
前記吸水性材料がデンプン系吸水性樹脂、セルロース系吸水性樹脂及び合成ポリマー系吸水性樹脂からなる群から選択される少なくとも１種である、請求項１〜４のいずれかに記載の多層シート。
【請求項６】
テーブルクロス、ランチョン・マット、エプロン、若しくは膝掛けである、請求項１〜５のいずれかに記載の多層シート。
【発明の詳細な説明】
【技術分野】
【０００１】
本発明は、多層シートに関する。より詳細には、レストラン、家庭内及び屋外といった場所での調理または食事時にテーブルクロス、ランチョン・マット、エプロン若しくは膝掛けといったものに使用し得る多層シートに関する。
【背景技術】
【０００２】
子供のいる家庭や子供客の多いファミリーレストランなどでは、子供らがこぼす飲食物によるテーブルへの汚れ付着に備えて、紙、布またはビニールといった素材のテーブルクロスやランチョン・マットが利用されている。また、テーブルのみならず、衣服などへの汚れ付着を防止するためにエプロンや膝掛けなどを利用している。
【０００３】
しかし、このテーブルクロスやランチョン・マットの素材が紙や布である場合には、こぼれた飲食物の吸水性は良いものの吸収量に限界があるため、吸収量を超えた飲食物がこのテーブルクロスやランチョン・マットを透過して、テーブルまでも汚してしまっていた。また、エプロンや膝掛けを利用する際にも、同様に衣服にまで汚れが付着してしまっていた。
【０００４】
他方、撥水性に優れるビニール素材であった場合には、その撥水性によりこぼれ落ちた飲食物、特には飲み物などの液体の汚れが拡がってしまっていた。
【０００５】
さらに、特開平１１−１８７５９６号公報には、吸水性の樹脂素材を利用したシートが開示されている。しかしこのシートを屋外での食事に利用する際には、食事後に必ずしも持ち帰られずその場で捨てられ、長期間に渡り分解されることなく、土壌汚染を引き起こすという問題がある。また、家庭内やレストランで使用後の廃棄焼却時には、有毒ガスであるダイオキシンを発生させる問題もある。
【０００６】
近年の環境問題から、自然界に廃棄されても環境に悪影響を与えない程度に分解が進むシート素材が望まれている。
【０００７】
また、特には全国展開をしている大手ファミリーレストランなどでは、汚れ付着防止の為のテーブルクロス、ランチョン・マット、エプロン並びに膝掛けといったシートの使用量は一日当たりでも大量となり、廃棄焼却時にダイオキシンの発生をさせないシート素材が望まれている。
【特許文献１】特開平１１−１８７５９６号公報
【発明の開示】
【発明が解決しようとする課題】
【０００８】
解決しようとする課題は、吸水性と吸収量に優れ、自然界への廃棄で環境に悪影響を与えない程度に分解が進み、また焼却処理時には有毒ガスの発生を軽減できる、環境に対して優れたテーブルクロス、ランチョン・マット、エプロン並びに膝掛けといったものに使用し得る、多層シートを提供することである。
【課題を解決するための手段】
【０００９】
本発明は、生分解性材料を含有する上層と下層との間に吸水性材料層が配置されてなる多層シートである。
【００１０】
好適な実施態様では、前記生分解性材料を含有する上層は、液体透過性である。
【００１１】
さらに好適な実施態様では、前記生分解性材料を含有する下層は、液体非透過性である。
【００１２】
またさらに好適な実施態様では、前記生分解性材料は、微生物産生系生分解性樹脂、天然高分子系生分解性樹脂及び化学合成系生分解性樹脂からなる群から選択される少なくとも１種である。
【００１３】
またさらに好適な実施態様では、前記吸水性材料層はデンプン系吸水性樹脂、セルロース系吸水性樹脂及び合成ポリマー系吸水性樹脂からなる群から選択される少なくとも1種である。
【００１４】
またさらに好適な実施態様では、前記多層シートは、テーブルクロス、ランチョン・マット、エプロン、若しくは膝掛けである。
【発明の効果】
【００１５】
本発明の多層シートによれば、子供らがこぼしたりする飲食物による、テーブルや衣服への汚れ付着を防止できる。また汚れの吸着した本発明の多層シートを手軽に処理できることで、こぼした飲食物の掃除を容易に行なうことができる。さらに、自然界への廃棄により、環境に悪影響を与えない程度に分解が進み、また焼却時には有毒ガスを発生させないので、環境保全を図ることができる。
【発明を実施するための最良の形態】
【００１６】
以下に、本発明を詳細に説明するが、本発明はこれに限定されるものではない。
【００１７】
本発明の多層シート１０（図１）は、生分解性材料を含有する上層１と下層３との間に吸水性材料層２が配置されてなる。
【００１８】
ここで、本明細書中に用いられる用語「生分解性材料」とは、セルロース素材からなる紙及び不織布、コルク、生分解性樹脂並びに光分解性樹脂といった微生物、酸素、光並びに水などといった自然界物質によって分解され得る全ての材料のことをいう。
【００１９】
また、本発明に用いられる生分解性材料としては、成形加工の容易さから生分解性樹脂であることが好ましい。用いられる生分解性樹脂としては、例えば、微生物産生系生分解性樹脂、天然高分子系生分解性樹脂及び化学合成系生分解性樹脂が挙げられる。これらは、１種で使用しても２首以上での組み合わせで使用しても良い。
【００２０】
前記微生物産生系生分解性樹脂としては、例えば、ポリ（3−ヒドロキシブチレート）、ポリ（３−ヒドロキシアルカノエール）などの微生物産生ポリエステルが挙げられる。
【００２１】
また、前記天然高分子系生分解性樹脂としては、例えば、デンプン、セルロース、微生物セルロース、キチン、キトサン、ブルラン、カードラン、アルギン酸、ヒアルロン酸、デキストランなどの多糖系樹脂、グルテン、ゼイン、コラーゲン、ゼラチン、フィブロイン、セリシン、ケラチン、大豆タンパク、カゼイン、血清アルブミン、フィブリノーゲン及びポリアミノ酸などのポリペプチド系樹脂が挙げられる。
【００２２】
さらに、前記化学合成系生分解性樹脂としては、例えば、ポリカプロラクトン、ポリオキシ酸、ポリリンゴ酸とその誘導体、ポリコハク酸ブチレンとその誘導体、ポリ乳酸、α−ポリリンゴ酸などの重縮合型ポリエステルなどの脂肪族ポリエステル系樹脂、ε−カプロラクタムとε−カプロラクトンとのアニオン共重合体などのポリアミド、ポリジオキサノン、３−メチル−４−オキサ−６−ヘキサノリドの重合体などのポリエステル−エーテル樹脂、トリメチレンカーボネートの重合体及びエチレンオキシドと炭酸ガスとの交互重合体などのポリカーボネート系樹脂が挙げられる。
【００２３】
本発に用いられる吸水性材料としては、例えば、デンプン系吸水性樹脂、セルロース系吸水性樹脂及び合成ポリマー系吸水性樹脂が挙げられる。これらは、１種で使用しても２首以上での組み合わせで使用しても良い。
【００２４】
前記デンプン系吸水性樹脂としては、例えば、デンプン／ポリアクリル酸系樹脂が挙げられる。
【００２５】
また、セルロース系吸水性樹脂としては、例えば、紙や布などをリン酸エステル化したもの及び布のカルボキシメチル化したものが挙げられる。
【００２６】
さらに、合成ポリマー系吸水性樹脂としては、例えば、架橋ポリアクリル酸系樹脂、イソブチレン／マレイン酸系樹脂及びポバール／ポリアクリル酸塩系樹脂が挙げられる。
【００２７】
本発明の多層シート１０は、その吸水性樹脂が、ポリアクリル酸系樹脂及びポリアミノ酸系樹脂といった生分解性機能をも有する場合には、自然界への廃棄で環境に悪影響を与えない程度に分解が進みまた、焼却処理時には有毒ガスを発生させないので、環境保全を図ることができる。
【００２８】
本発明の多層シート１０は、生分解性材料を含有する上層１が液体透過性であることが好ましい。液体透過性であるシート素材としては、例えば、不織布、織布、ポリエチレンやポリプロピレン及びポリアミドなどの材料からなる合成フィルムといった素材が挙げられる。この上層１により、こぼれ落ちた飲食物がこの上層１下側に素早く浸透し、テーブル並びに衣服に飲食物の汚れが拡がることを防止できる。また、この上層１に絵図などを印刷しておくことで（図２）、子供客を楽しませたり、さらに広告機能などを持たせたりすることも可能である。さらに、本発明の多層シート１０の例えば、上層１に芳香剤を練りこんで、利用者が香りを楽しめるようにすることも可能である。
【００２９】
本発明の多層シート１０は、生分解性材料を含有する下層３が液体非透過性である。液体非透過性であるシート素材としては、例えば、ポリエチレン、ポリプロピレン、エチレンビニルアセテート、ポリ塩化ビニルなどの材料からなる合成フィルム及びこれらの合成樹脂と不織布または織布との複合材からなるフィルムといった素材が挙げられる。この下層により、多層シートにこぼれ落ちて吸収された飲食物がその下層３下側を超えることが無く、テーブルや衣服を汚すことを防止できる。
【００３０】
本発明の多層シート１０の厚み及び形状は、その利用形態に応じて適宜設計される。
【００３１】
液体透過性である上層１の厚みとしては、好ましくは０．１ｍｍから０．２ｍｍであり、より好ましくは０．０５ｍｍから０．１ｍｍである。０．０５ｍｍよりも薄いと、多層シート１０の強度が低下して、破れたりしてしまう。０．２ｍｍよりも厚いと、シート全体の厚みが増して、例えばテーブルクロスであれば飲食物の入った容器の不安定さから、また製造コスト面から実用的では無い。
【００３２】
吸水性材料層２の厚みとしては、好ましくは０．５ｍｍから０．６ｍｍであり、より好ましくは０．３ｍｍから０．４ｍｍである。０．３ｍｍよりも薄いと、こぼれ落ちた流体物の吸収量が不十分であり、他方０．６ｍｍよりも厚いと前記同様に容器の不安定さ及び製造コスト面から実用的では無い。
【００３３】
液体非透過性である下層３の厚みとしては、好ましくは０．１ｍｍから０．２ｍｍであり、より好ましくは０．０５ｍｍから０．１ｍｍである。０．０５ｍｍよりも薄いと、多層シート１０の強度が低下して、破れたりしてしまう。０．２ｍｍよりも厚いと、前記同様に容器の不安定さ及び製造コスト面から実用的では無い。
【００３４】
本発明の多層シート１０の形状は、テーブルクロスやランチョン・マットであれば利用されるテーブルの大きさに応じて適宜設計され、またエプロンや膝掛けであれば、利用者の体格を想定して適宜設計される。
【００３５】
本発明の多層シート１０の製造方法は、当業者において適宜最適な方法が選択される。シートの成形方法においては、押出成形、射出成形、圧縮成形、注型成形などが挙げられる。押出成形などでは、スリットダイからシート状に押出した後に強度を持たせるために一軸または二軸に延伸させても良い。このような成形により得られる各層を後に張り合わせることで多層シートとする。この多層シートをテーブルクロス、ランチョン・マット、エプロン並びに膝掛けといった形状に切断して、所望の多層シート１０を得る。
【００３６】
本発明の多層シート１０は、その特徴より、テーブルクロス、ランチョン・マット、エプロン並びに膝掛けといった用途に限定されることなく、幼児用、大人用、あるいは失禁者用の使い捨ておむつ、または生理用ナプキンなどの衛生用品分野、バップ剤用途などの医療分野、廃泥ゲル化剤や土壌改良剤、保水剤などの土木・建築分野、鮮度保持剤などの食品分野、溶剤脱水剤などの工業分野及び農業園芸分野などの多様な分野に利用が可能である。
【図面の簡単な説明】
【００３７】
【図１】本発明の多層シート断面図
【図２】本発明の多層シートに絵図を印刷させた上面図
【符号の説明】
【００３８】
１０  本発明の多層シート
１  液体透過性である上層
２  吸水性材料層
３  液体非透過性である下層
【図１】
2005066955.tif 000003
【図２】
2005066955.tif 000004